(57)【要約】      （修正有）【課題】動力式ステープル留め装置、より詳しくは、組織をステープル留めするために、一貫した特定の圧縮力を提供するように構成されているばね装填カートリッジアセンブリを含む動力式ステープル留め装置を提供する。【解決手段】ステープラー２は、ハンドルアセンブリ４と、ハンドルアセンブリから遠位方向に延びているシャフトと、シャフトに選択的に連結するように構成されているツールアセンブリ１０であって、ツールアセンブリは、カートリッジアセンブリ１６とアンビルアセンブリ１８とを含み、カートリッジアセンブリは、組織接触表面を規定するステープルガイドと、その中に複数のステープル保持スロットとを含む、ツールアセンブリと、カートリッジアセンブリ内に動作可能に位置決めされている弾性部材とを含む。【選択図】図１
2014176698.tif 000002
【特許請求の範囲】
【請求項１】
ステープラーであって、該ステープラーは、
ハンドルアセンブリと、
該ハンドルアセンブリから遠位方向に延びているシャフトと、
該シャフトに選択的に連結するように構成されているツールアセンブリであって、該ツールアセンブリは、カートリッジアセンブリとアンビルアセンブリとを含み、該カートリッジアセンブリは、組織接触表面を規定するステープルガイドと、その中に複数のステープル保持スロットとを含む、ツールアセンブリと、
該カートリッジアセンブリ内に動作可能に位置決めされている弾性部材であって、該弾性部材は、該カートリッジアセンブリおよびアンビルが互いに対して接近させられる場合、該ステープルガイドを遠位方向に付勢して、組織に対して所定の圧縮力を提供するように構成されている、弾性部材と
を含む、ステープラー。
【請求項２】
前記弾性部材は、前記ステープルガイドの前記組織接触表面の下側に連結されている、請求項１に記載のステープラー。
【請求項３】
前記弾性部材は、波形ばねおよび圧縮ばねのうちの１つである、請求項１に記載のステープラー。
【請求項４】
前記弾性部材は、前記ステープルガイドの前記組織接触表面に相補的であるように形作られている、請求項１に記載のステープラー。
【請求項５】
前記カートリッジアセンブリおよびアンビルアセンブリのうちの少なくとも１つは、円形状である、請求項１に記載のステープラー。
【請求項６】
前記ステープルガイドは、前記ツールアセンブリを通って規定される長手方向軸に沿って、該ツールアセンブリに対して移動可能である、請求項１に記載のステープラー。
【請求項７】
マイクロコントローラーをさらに含み、該マイクロコントローラーは、モーター、および該モーターに電圧を加えるように構成されている電源と動作可能に通信するように構成されている、請求項１に記載のステープラー。
【請求項８】
前記マイクロコントローラーは、前記ハンドルアセンブリおよびシャフトのうちの少なくとも１つの中に動作可能に位置決めされている、請求項７に記載のステープラー。
【請求項９】
前記マイクロコントローラーは、前記カートリッジアセンブリと動作可能に通信し、前記弾性部材のばね定数を試験するように構成されている、請求項７に記載のステープラー。
【請求項１０】
前記カートリッジアセンブリは、前記弾性部材の前記ばね定数を試験するために、試験行程を通して移動するように構成されている、請求項９に記載のステープラー。
【請求項１１】
前記マイクロコントローラーは、試験されたばね定数を、メモリーに記憶されている公知のばね定数と比較するように構成され、該メモリーは、該マイクロコントローラーにアクセス可能である、請求項８に記載のステープラー。
【請求項１２】
前記マイクロコントローラーは、前記弾性部材の前記試験されたばね定数に基づいて、前記モーターに供給される電流の量を制御する、請求項１１に記載のステープラー。
【請求項１３】
ハンドルアセンブリに選択的に連結するように適合されているツールアセンブリであって、該ツールアセンブリは、
カートリッジアセンブリおよびアンビルアセンブリであって、該カートリッジアセンブリは、組織接触表面を規定するステープルガイドと、その中に複数のステープル保持スロットとを含む、カートリッジアセンブリおよびアンビルアセンブリと、
該カートリッジアセンブリ内に動作可能に位置決めされている弾性部材であって、該弾性部材は、該カートリッジアセンブリおよびアンビルが該ハンドルアセンブリを介して互いに対して接近させられる場合、該ステープルガイドを遠位方向に付勢して、組織に対して所定の圧縮力を提供するように構成されている、弾性部材と
を含む、ツールアセンブリ。
【請求項１４】
前記弾性部材は、前記ステープルガイドの前記組織接触表面の下側に連結されている、請求項１３に記載のツールアセンブリ。
【請求項１５】
前記弾性部材は、波形ばねおよび圧縮ばねのうちの１つである、請求項１３に記載のツールアセンブリ。
【請求項１６】
前記弾性部材は、前記ステープルガイドの前記組織接触表面に相補的であるように形作られている、請求項１３に記載のツールアセンブリ。
【請求項１７】
前記ステープルガイドは、前記ツールアセンブリを通って規定される長手方向軸に沿って、該ツールアセンブリに対して移動可能である、請求項１３に記載のツールアセンブリ。
【請求項１８】
組織をステープル留めするためのシステムであって、該システムは、
ハンドルアセンブリと、
該ハンドルアセンブリに動作可能に連結するように構成されているツールアセンブリであって、該ツールアセンブリは、カートリッジアセンブリと、アンビルアセンブリと、弾性部材とを含み、該弾性部材は、該カートリッジアセンブリ内に動作可能に位置決めされ、該カートリッジアセンブリのステープルガイドを遠位方向に付勢して、組織に対して所定の圧縮力を提供するように構成され、該ツールアセンブリは、該ハンドルアセンブリに連結させられるように構成されている、ツールアセンブリと、
該弾性部材のばね定数を試験するための試験行程と
を含み、
該ハンドルアセンブリのモーターに供給される電流の量は、ばねの試験された該ばね定数に基づいて調整可能であり、
該カートリッジアセンブリおよびアンビルは、互いに対して接近させられるように構成されている、システム。
【請求項１９】
前記弾性部材は、該弾性部材のための、波形ばねおよび圧縮ばねのうちの少なくとも１つである、請求項１８に記載のシステム。
【請求項２０】
前記モーターおよび該モーターに電圧を加えるように構成されている電源と動作可能に通信するように構成されているマイクロコントローラーをさらに含む、請求項１８に記載のシステム。
【請求項２１】
前記マイクロコントローラーは、試験されたばね定数を、メモリーに記憶されている公知のばね定数と比較するように構成され、該メモリーは、該マイクロコントローラーにアクセス可能である、請求項２０に記載のシステム。
【請求項２２】
前記モーターは、前記ばね定数が所定の閾値よりも上である場合、より多くの電流が提供され、該ばね定数が所定の閾値よりも下である場合、より少ない電流が提供されるように構成されている、請求項２１に記載のシステム。
【発明の詳細な説明】
【技術分野】
【０００１】
関連出願への相互参照
本願は、２０１３年３月１４日に出願された、米国仮特許出願第６１／７８１，４８７号の利益および上記米国仮特許出願に対する優先権を主張し、その開示全体は、本明細書中で参考として援用される。
【背景技術】
【０００２】
背景
技術分野
本開示は、動力式ステープル留め装置に関する。より詳しくは、本開示は、組織をステープル留めするために、一貫した特定の圧縮力を提供するように構成されているばね装填カートリッジアセンブリを含む動力式ステープル留め装置に関する。
【０００３】
関連技術の記載
動力式ステープラーは、閉じた手順、すなわち、内視鏡手順、腹腔鏡手順、または本来の身体のオリフィスを通った手順におけるそれらの使用が公知である。動力式ステープラーは、ツールアセンブリを含み得、このツールアセンブリは、ハンドルアセンブリから延びている細長い本体の遠位端に動作可能に連結するように構成されている。ハンドルアセンブリは、再使用可能であり、ツールアセンブリは、代表的に使い捨てである。ツールアセンブリは、アンビルアセンブリと、カートリッジアセンブリとを含み得、このカートリッジアセンブリは、その中に１つ以上のステープルを収容する。使用において、アンビルアセンブリおよびカートリッジアセンブリは、互いに接近させられ、ステープル（複数可）は、カートリッジアセンブリからアンビルアセンブリへ射出させられて、組織においてステープル（複数可）を形成する。
【０００４】
１つ以上の適切な電源（例えば、電池、コンセントなど）によって電力を供給されるモーターは、ステープル（複数可）を射出することを実施するために利用され得る。１つ以上の安全装置は、代表的に、モーターが電流を引き込み過ぎないことを確実にするために利用される。例えば、テープル（複数可）を射出する前に、マイクロコントローラーは、ハンドルアセンブリにおいて提供され得、モーターによって電源から引き込まれる電流の量を測定するために利用され得る。マイクロコントローラーは、モーターが過剰な量の電流を引き込んでいないことを確実にするために、この電流測定値を利用し、過剰な量の電流は、円形状ステープラーの１つ以上の構成要素に損傷を引き起こし得る。
【０００５】
上で言及されるように、ハンドルアセンブリは、再使用可能であり得る。この点において、ハンドルは、滅菌され得、再使用され得る。認識され得るように、アンビルアセンブリおよびカートリッジアセンブリの移動を実施するために動作可能であるハンドルアセンブリおよび／またはそれと関連付けられる動作可能な構成要素（例えば、歯車、リンクなど）は、ハンドルアセンブリの滅菌プロセスおよび／または延長させられた使用の結果として、摩滅および／または欠陥を生じさせられ得、このことは、これらの構成要素が、意図されるような態様で機能しないことをもたらし得る。
【０００６】
従来のマイクロコントローラーは、ハンドルアセンブリおよび／またはそれと関連付けられる動作可能な構成要素が、適切な作業順にあるかどうかを決定するために、ハンドルアセンブリおよび／もしくはそれと関連付けられる構成要素の増大もしくは減少した動作上の有効性を試験するように構成されてない場合があるか、またはそれを試験することができない場合がある。
【発明の概要】
【課題を解決するための手段】
【０００７】
概要
認識され得るように、組織をステープル留めするために、一貫した特定の圧縮力を提供するように構成されているばね装填カートリッジアセンブリを含む動力式ステープル留め装置は、外科手術場面において、有用であるとわかり得る。
【０００８】
本開示の実施形態は、類似の参照数字が同様の要素または同一の要素を識別する図面を参照して詳細に記載される。本明細書中で用いられる場合、用語「遠位」は、使用者からより遠いと記載されている部分を指し、用語「近位」は、使用者により近いと記載されている部分を指す。
【０００９】
本開示の実施形態は、円形状ステープラーを提供する。円形状ステープラーは、ハンドルアセンブリを含み得る。シャフトは、ハンドルアセンブリから遠位方向に延び得る。ツールアセンブリは、シャフトに選択的に連結するように構成され得、カートリッジアセンブリとアンビルアセンブリとを含む。カートリッジアセンブリは、組織接触表面を規定するステープルガイドを含み得る。弾性部材は、カートリッジアセンブリ内に動作可能に位置決めされ得、ステープルガイドを遠位方向に付勢するように構成され得、これは、カートリッジアセンブリおよびアンビルが互いに対して接近させられる場合、組織に対して所定の圧縮力を提供する。
【００１０】
弾性部材は、ステープルガイドの組織接触表面の下側に連結され得る。弾性部材は、波形ばねまたは圧縮ばねであり得る。弾性部材は、ステープルガイドの組織接触表面に相補的であるように形作られ得る。ステープルガイドは、ツールアセンブリを通って規定される長手方向軸に沿って、ツールアセンブリに対して移動可能であり得る。
【００１１】
マイクロコントローラーは、例えば、ハンドルアセンブリ（またはシャフト）におけるモーター、およびモーターに電圧を加えるように構成されている電源と動作可能に通信するように構成され得る。マイクロコントローラーは、カートリッジアセンブリと動作可能に通信し得、弾性部材のばね定数を試験するように構成されている。
【００１２】
カートリッジアセンブリは、弾性部材のばね定数を試験するために、試験行程を通して移動するように構成され得る。この例において、マイクロコントローラーは、試験されたばね定数を、データルックアップ表中にコンパイルされている公知のばね定数と比較するように構成され得、このデータルックアップ表は、メモリーに記憶され、マイクロコントローラーにアクセス可能である。さらに、マイクロコントローラーは、ばねの試験されたばね定数に基づいて、モーターに供給される電流の量を制御し得る。
【００１３】
本開示の実施形態は、ハンドルアセンブリに選択的に連結するように適合されているツールアセンブリを提供する。ツールアセンブリは、カートリッジアセンブリとアンビルアセンブリとを含む。カートリッジアセンブリは、組織接触表面を規定するステープルガイドと、その中に複数のステープル保持スロットとを含む。カートリッジアセンブリ内に動作可能に位置決めされている弾性部材は、ステープルガイドを遠位方向に付勢するように構成されており、これは、カートリッジアセンブリおよびアンビルがハンドルアセンブリを介して互いに対して接近させられる場合、組織に対して所定の圧縮力を提供する。
【００１４】
弾性部材は、ステープルガイドの組織接触表面の下側に連結され得る。弾性部材は、波形ばねまたは圧縮ばねであり得る。弾性部材は、ガイドの組織接触表面に相補的であるように形作られ得る。ステープルガイドは、ツールアセンブリを通って規定される長手方向軸に沿って、ツールアセンブリに対して移動可能であり得る。
【００１５】
本開示の実施形態は、組織をステープル留めする方法を提供する。ハンドルアセンブリおよびツールアセンブリが提供される。ツールアセンブリは、ハンドルアセンブリに動作可能に連結するように構成され、カートリッジアセンブリと、アンビルアセンブリと、弾性部材とを含む。波形ばねまたは圧縮ばねは、弾性部材のために利用され得る。弾性部材は、カートリッジアセンブリ内に動作可能に位置決めされ、カートリッジアセンブリのステープルガイドを遠位方向に付勢して、組織に対して所定の圧縮力を提供するように構成されている。ツールアセンブリは、ハンドルアセンブリに連結されている。弾性部材のばね定数を試験するための試験行程が、次に実施される。この例において、ハンドルアセンブリのモーターに供給される電流の量は、ばねの試験されたばね定数に基づいて調整される。カートリッジアセンブリおよびアンビルは、次に、互いに対して接近させられ、組織がステープル留めされる。
【００１６】
ハンドルアセンブリは、例えば、ハンドルアセンブリにおけるモーター、およびモーターに電圧を加えるように構成され得る電源と動作可能に通信するように構成されているマイクロコントローラーを備え得る。試験されたばね定数は、データルックアップ表中にコンパイルされている公知のばね定数と比較され得、このデータルックアップ表は、メモリーに記憶され、マイクロコントローラーにアクセス可能である。ばね定数が所定の閾値よりも上である場合、モーターに供給される電流の量は、増大させられ得る。そして、ばね定数が所定の閾値よりも下である場合、モーターへの電流の量は、減少させられ得る。
【００１７】
例えば、本発明は、以下を提供する。
（項目１）
ステープラーであって、該ステープラーは、
ハンドルアセンブリと、
該ハンドルアセンブリから遠位方向に延びているシャフトと、
該シャフトに選択的に連結するように構成されているツールアセンブリであって、該ツールアセンブリは、カートリッジアセンブリとアンビルアセンブリとを含み、該カートリッジアセンブリは、組織接触表面を規定するステープルガイドと、その中に複数のステープル保持スロットとを含む、ツールアセンブリと、
該カートリッジアセンブリ内に動作可能に位置決めされている弾性部材であって、該弾性部材は、該カートリッジアセンブリおよびアンビルが互いに対して接近させられる場合、該ステープルガイドを遠位方向に付勢して、組織に対して所定の圧縮力を提供するように構成されている、弾性部材と
を含む、ステープラー。
（項目２）
上記弾性部材は、上記ステープルガイドの上記組織接触表面の下側に連結されている、上記項目に記載のステープラー。
（項目３）
上記弾性部材は、波形ばねおよび圧縮ばねのうちの１つである、上記項目のうちのいずれか一項に記載のステープラー。
（項目４）
上記弾性部材は、上記ステープルガイドの上記組織接触表面に相補的であるように形作られている、上記項目のうちのいずれか一項に記載のステープラー。
（項目５）
上記カートリッジアセンブリおよびアンビルアセンブリのうちの少なくとも１つは、円形状である、上記項目のうちのいずれか一項に記載のステープラー。
（項目６）
上記ステープルガイドは、上記ツールアセンブリを通って規定される長手方向軸に沿って、該ツールアセンブリに対して移動可能である、上記項目のうちのいずれか一項に記載のステープラー。
（項目７）
マイクロコントローラーをさらに含み、該マイクロコントローラーは、モーター、および該モーターに電圧を加えるように構成されている電源と動作可能に通信するように構成されている、上記項目のうちのいずれか一項に記載のステープラー。
（項目８）
上記マイクロコントローラーは、上記ハンドルアセンブリおよびシャフトのうちの少なくとも１つの中に動作可能に位置決めされている、上記項目のうちのいずれか一項に記載のステープラー。
（項目９）
上記マイクロコントローラーは、上記カートリッジアセンブリと動作可能に通信し、上記弾性部材のばね定数を試験するように構成されている、上記項目のうちのいずれか一項に記載のステープラー。
（項目１０）
上記カートリッジアセンブリは、上記弾性部材の上記ばね定数を試験するために、試験行程を通して移動するように構成されている、上記項目のうちのいずれか一項に記載のステープラー。
（項目１１）
上記マイクロコントローラーは、試験されたばね定数を、メモリーに記憶されている公知のばね定数と比較するように構成され、該メモリーは、該マイクロコントローラーにアクセス可能である、上記項目のうちのいずれか一項に記載のステープラー。
（項目１２）
上記マイクロコントローラーは、上記弾性部材の上記試験されたばね定数に基づいて、上記モーターに供給される電流の量を制御する、上記項目のうちのいずれか一項に記載のステープラー。
（項目１３）
ハンドルアセンブリに選択的に連結するように適合されているツールアセンブリであって、該ツールアセンブリは、
カートリッジアセンブリおよびアンビルアセンブリであって、該カートリッジアセンブリは、組織接触表面を規定するステープルガイドと、その中に複数のステープル保持スロットとを含む、カートリッジアセンブリおよびアンビルアセンブリと、
該カートリッジアセンブリ内に動作可能に位置決めされている弾性部材であって、該弾性部材は、該カートリッジアセンブリおよびアンビルが該ハンドルアセンブリを介して互いに対して接近させられる場合、該ステープルガイドを遠位方向に付勢して、組織に対して所定の圧縮力を提供するように構成されている、弾性部材と
を含む、ツールアセンブリ。
（項目１４）
上記弾性部材は、上記ステープルガイドの上記組織接触表面の下側に連結されている、上記項目のうちのいずれか一項に記載のツールアセンブリ。
（項目１５）
上記弾性部材は、波形ばねおよび圧縮ばねのうちの１つである、上記項目のうちのいずれか一項に記載のツールアセンブリ。
（項目１６）
上記弾性部材は、上記ステープルガイドの上記組織接触表面に相補的であるように形作られている、上記項目のうちのいずれか一項に記載のツールアセンブリ。
（項目１７）
上記ステープルガイドは、上記ツールアセンブリを通って規定される長手方向軸に沿って、該ツールアセンブリに対して移動可能である、上記項目のうちのいずれか一項に記載のツールアセンブリ。
（項目１８）
組織をステープル留めするためのシステムであって、該システムは、
ハンドルアセンブリと、
該ハンドルアセンブリに動作可能に連結するように構成されているツールアセンブリであって、該ツールアセンブリは、カートリッジアセンブリと、アンビルアセンブリと、弾性部材とを含み、該弾性部材は、該カートリッジアセンブリ内に動作可能に位置決めされ、該カートリッジアセンブリのステープルガイドを遠位方向に付勢して、組織に対して所定の圧縮力を提供するように構成され、該ツールアセンブリは、該ハンドルアセンブリに連結させられるように構成されている、ツールアセンブリと、
該弾性部材のばね定数を試験するための試験行程と
を含み、
該ハンドルアセンブリのモーターに供給される電流の量は、ばねの試験された該ばね定数に基づいて調整可能であり、
該カートリッジアセンブリおよびアンビルは、互いに対して接近させられるように構成されている、システム。
（項目１９）
上記弾性部材は、該弾性部材のための、波形ばねおよび圧縮ばねのうちの少なくとも１つである、上記項目のうちのいずれか一項に記載のシステム。
（項目２０）
上記モーターおよび該モーターに電圧を加えるように構成されている電源と動作可能に通信するように構成されているマイクロコントローラーをさらに含む、上記項目のうちのいずれか一項に記載のシステム。
（項目２１）
上記マイクロコントローラーは、試験されたばね定数を、メモリーに記憶されている公知のばね定数と比較するように構成され、該メモリーは、該マイクロコントローラーにアクセス可能である、上記項目のうちのいずれか一項に記載のシステム。
（項目２２）
上記モーターは、上記ばね定数が所定の閾値よりも上である場合、より多くの電流が提供され、該ばね定数が所定の閾値よりも下である場合、より少ない電流が提供されるように構成されている、上記項目のうちのいずれか一項に記載のシステム。
（項目１８Ａ）
組織をステープル留めする方法であって、該方法は、
ハンドルアセンブリを提供するステップと、
該ハンドルアセンブリに動作可能に連結するように構成されているツールアセンブリを提供するステップであって、該ツールアセンブリは、カートリッジアセンブリと、アンビルアセンブリと、弾性部材とを含み、該弾性部材は、該カートリッジアセンブリ内に動作可能に位置決めされ、該カートリッジアセンブリのステープルガイドを遠位方向に付勢して、組織に対して所定の圧縮力を提供するように構成されている、ステップと、
該ツールアセンブリを該ハンドルアセンブリに連結するステップと、
該弾性部材のばね定数を試験するための試験行程を実施するステップと、
該ハンドルアセンブリのモーターに供給される電流の量を、ばねの試験された該ばね定数に基づいて調整するステップと、
該カートリッジアセンブリおよびアンビルを、互いに対して接近させるステップと、
組織をステープル留めするステップと
を含む、方法。
（項目１９Ａ）
上記弾性部材のための、波形ばねおよび圧縮ばねのうちの少なくとも１つを利用することを含む、上記項目のうちのいずれか一項に記載の方法。
（項目２０Ａ）
マイクロコントローラーを有する上記ハンドルアセンブリを提供するステップを含み、該マイクロコントローラーは、上記モーターおよび該モーターに電圧を加えるように構成されている電源と動作可能に通信するように構成されている、上記項目のうちのいずれか一項に記載の方法。
（項目２１Ａ）
試験されたばね定数を、メモリーに記憶され、該マイクロコントローラーによってアクセス可能である公知のばね定数と比較するステップを含む、上記項目のうちのいずれか一項に記載の方法。
（項目２２Ａ）
上記ばね定数が所定の閾値よりも上である場合、より多くの電流を上記モーターに提供し、該ばね定数が所定の閾値よりも下である場合、より少ない電流を該モーターに提供するステップを含む、上記項目のうちのいずれか一項に記載の方法。
【００１８】
（摘要）
ステープラーが提供される。ステープラーは、ハンドルアセンブリと、ハンドルアセンブリから遠位方向に延びているシャフトとを含む。ツールアセンブリは、シャフトに選択的に連結するように構成され、カートリッジアセンブリとアンビルアセンブリとを含む。カートリッジアセンブリは、組織接触表面を規定するステープルガイドを含む。弾性部材は、カートリッジアセンブリ内に動作可能に位置決めされ、カートリッジアセンブリおよびアンビルが互いに対して接近させられる場合、ステープルガイドを遠位方向に付勢して、組織に対して所定の圧縮力を提供するように構成されている。
【００１９】
本発明の前述の特徴は、添付の図面を参照して、以下の詳細な説明を参照することによって、より容易に理解される。
【図面の簡単な説明】
【００２０】
【図１】図１は、本発明の実施形態に従う、円形状ツールアセンブリに連結されているハンドルアセンブリの斜視図であり、この円形状ツールアセンブリは、円形状吻合を実施するように構成されている。
【図２】図２は、本発明の実施形態に従う、図１の円形状ツールアセンブリの遠位端の、部品が分離された部分的な斜視図である。
【図３】図３は、本発明の実施形態に従う、円形状ツールアセンブリの遠位端の部分的な切り欠き図である。
【発明を実施するための形態】
【００２１】
詳細な説明
本開示の詳細な実施形態が本明細書中に開示されるが、開示される実施形態は、単に本開示の例であり、様々な形態で具体化され得る。従って、本明細書中に開示される特定の構造上および機能上の詳細は、限定するものではなく、単に特許請求の範囲のための基礎として、および事実上任意の適切に詳述した構造で本開示を様々に用いるために、当業者に教示するための代表的な基礎として解釈されるべきである。
【００２２】
本発明の実施形態に従って、図１は、動力式円形状ステープル留め装置、すなわち、ステープラーを例示し、全体的に参照数字２として示されている。ステープラー２は、ハウジングまたはハンドルアセンブリ４を含み、このハウジングまたはハンドルアセンブリ４は、アクチュエーター６と、ハンドルアセンブリ４から延びている細長い部材、例えば、シャフト８とを有する。ツールアセンブリ１０（例えば、複数回使用ローディングユニット「ＭＵＬＵ」）は、細長い部材８の遠位端に動作可能に連結するように構成されており、その遠位端にエンドエフェクター１２を含む。エンドエフェクター１２は、シェルアセンブリ１４を含み、このシェルアセンブリ１４は、カートリッジアセンブリ１６（図１および図２）を支持するように構成されている。カートリッジアセンブリ１６は、複数の締め具（示されない）と、対応する複数のプッシャー部材（示されない）とを含み、この対応する複数のプッシャー部材は、締め具（複数可）に動作可能に連結される。エンドエフェクター１２は、アンビルアセンブリ１８を含み、このアンビルアセンブリ１８は、ツールアセンブリ１０に解放可能に連結するように構成され、複数のステープル形成ポケットまたはくぼみ（示されない）を含み、複数のステープル形成ポケットまたはくぼみは、締め具（複数可）がカートリッジアセンブリ１６から配備される場合、その中に対応する締め具（複数可）を受け取るように構成されている。
【００２３】
２０１３年３月７日に出願された、発明の名称「ＣＩＲＣＵＬＡＲ  ＳＴＡＰＬＩＮＧ  ＤＥＶＩＣＥ  ＩＮＣＬＵＤＩＮＧ  ＢＵＴＴＲＥＳＳ  ＲＥＬＥＡＳＥ  ＭＥＣＨＡＮＩＳＭ」の米国特許出願第６１／７７４，０７１号、２０１３年１月１１日に出願された、発明の名称「Ｃｉｒｃｕｌａｒ  Ｓｔａｐｌｉｎｇ  Ｉｎｓｔｒｕｍｅｎｔ」の米国特許出願第１３／７３９，２４６号、および２０１０年１１月１５日に出願された、発明の名称「Ａｄａｐｔｅｒｓ  ｆｏｒ  Ｕｓｅ  Ｂｅｔｗｅｅｎ  Ｓｕｒｇｉｃａｌ  Ｈａｎｄｌｅ  Ａｓｓｅｍｂｌｙ  ａｎｄ  Ｓｕｒｇｉｃａｌ  Ｅｎｄ  Ｅｆｆｅｃｔｏｒ」の米国特許出願第１２／９４６，０８２号に対して参照がなされ、それらの各々の内容全体は、これにより、参考として援用される。
【００２４】
図２を参照すると、カートリッジアセンブリ１６は、ステープルガイド１７を含み、このステープルガイド１７は、組織接触表面２２と、組織接触表面２２に形成される複数のスロット１９とを規定し、複数のスロット１９は、その締め具（複数可）およびプッシャー（複数可）と整列させられる。スロット１９は、アンビルアセンブリ１８においてステープル形成ポケットと整列させられ、締め具（複数可）がカートリッジアセンブリ１６から組織を通ってアンビルアセンブリ１８のステープル形成ポケットへ配備されることを可能にするように構成されている。
【００２５】
締め具（複数可）がアンビルアセンブリ１８のステープル形成ポケットを係合する場合、締め具（複数可）は、形成されて、組織を留めて閉じるか、または組織を隣接する組織に留める。本発明の実施形態において、ステープルガイド１７は、ツールアセンブリ１０を通って規定される長手方向軸「Ａ−Ａ」に沿って、ツールアセンブリ１０に対して移動可能である。
【００２６】
図２および図３に見られるように、円形状リップまたはフランジ２３が、底部周囲壁２９において提供され得、この底部周囲壁２９は、組織接触表面２２の下に提供され、シェルアセンブリ１４の内部壁２７に沿って延びている円形状リップまたはフランジ２５を係合するように構成されている。例示される実施形態において、ステープルガイド１７は、シェルアセンブリ１４に非取り外し可能に連結される。実施形態において、ステープルガイド１７は、シェルアセンブリ１４に取り外し可能に連結するように構成され得る。実施形態において、フランジ２３は、１つ以上の比較的弾性のフィンガー（示されない）と交換され得、１つ以上の比較的弾性のフィンガーは、使用者が、ステープルガイド１７を連結し、ステープルガイド１７をシェルアセンブリ１４から分離することを可能にするために、半径方向に内方に曲がるように構成されている。この連結された構成において、弾性フィンガー（複数可）は、使用者がフィンガー（複数可）を内方に押圧して、カートリッジアセンブリ１６をシェル１４から解放し得るように、使用者に対してアクセス可能であり得る。実施形態において、フランジ２３は、１つ以上のタブまたは突出部（示されない）と交換され得、１つ以上のタブまたは突出部は、周囲壁２９から半径方向に外方に延びている。実施形態において、円形状リップまたはフランジ２５は、１つ以上のタブまたは突出部（示されない）と交換され得、１つ以上のタブまたは突出部は、シェルアセンブリ１４の内部壁２７から内方に延びている。
【００２７】
図２〜図３を引き続き参照すると、カートリッジアセンブリ１６は、弾性部材２０、例えば、波形、圧縮、またはコイルばね２１（以下、ばね２１）を含む。弾性部材２０が、圧力下、または力の下で変形し、その後、その形状またはその形状の一部を回復できる任意の材料であり得ることも想定される。特に、ばね２１は、カートリッジアセンブリ１６およびアンビルアセンブリ１８が互いに対して接近させられる場合、組織に対して所定の圧縮力を提供するために、カートリッジアセンブリ１６の組織ステープルガイド１７を、外方または遠位方向に付勢するように構成されている。
【００２８】
使用前、ハンドルアセンブリ４およびツールアセンブリ１０は、カートリッジアセンブリ１６およびアンビルアセンブリ１８の必要とされる締め付け行程（例えば、組織がカートリッジアセンブリ１６とアンビルアセンブリ１８との間に位置決めされている状態）を確立するために、空の較正締め付け行程（例えば、組織がカートリッジアセンブリ１６とアンビルアセンブリ１８との間に位置決めされていない状態）を実施する。本開示に従って、この較正締め付け行程は、ばね２１を完全に圧縮し、ステープラー２における、ステープラー２を発射させるために利用される構成要素（例えば、アダプター、歯車、モーターなど）の年数またはそのサイクルの数にかかわらず、ハンドルアセンブリ４が、電流を力に正確に関連付けることを可能にする。組織におけるステープラー２の締め付けの際、圧縮力が、ばね２１のばね力を超える場合、ばね２１は、部分的に、または完全に圧縮され得る。どちらの例においても、ステープラー２は、ステープルを送達するために、捕捉された組織の正確な標的圧縮を測定することができ、このステープルは、最適に圧縮された組織を含むように捲縮される。
【００２９】
実施形態において、ばね２１は、周囲壁２９の周りに置かれ、組織接触表面２２の下側３４とシェル１４の遠位面２２との間に位置決めされている。組み立てられた構成において、ばね２１は、図３に最も良好に見られるように、下側３４および遠位面２２に対して静止している。実施形態において、ばね２１は、周囲壁２９の周りに完全に延びている。実施形態において、ばね２１は、周囲壁２９の周りに部分的にのみ延びている。実施形態において、ばね２１は、カートリッジアセンブリ１６の組織接触表面２２および周囲壁２９の円形状の構成を補完するために、（例えば、ほぼ円形状または湾曲した構成を有して）形作られ得る。
【００３０】
ばね２１は、他の構成要素上に配置され得るか、または他の構成要素内に含まれ得、他の構成要素は、組織における圧縮負荷を確立するように構成されている。例えば、ばね２１は、カートリッジアセンブリ１６内に配置されていると本明細書中に記載されているが、ばね２１は、アンビルアセンブリ１８、ハンドルアセンブリ４、ツールアセンブリ１０、および／またはステープラー２との使用のために構成されているアダプター（示されない）の上に配置され得るか、またはそれらの中に含まれ得る。
【００３１】
図１を再び参照すると、マイクロコントローラー３０（想像図で示される）は、ハンドルアセンブリ４のモーター３１（想像図で示される）、およびモーター３１に電圧を加えるように構成されている電源３３と動作可能に通信するように構成されている。実施形態（例えば、例示される実施形態）において、マイクロコントローラー３０は、ハンドルアセンブリ４内に収容され得る。実施形態において、マイクロコントローラー３０は、細長い部材８の中に収容され得る。電源３３は、任意の適切な電源であり得、それには、電池（再充電可能および／または再充電可能ではない）、またはＡＣ壁付きコンセントが挙げられるが、これらに限定されない。
【００３２】
ハンドルアセンブリ４およびツールアセンブリ１０における伝動装置および／またはモーターは、モーター３１の動力をトルクに変換する。上に言及されるように、従来のステープラーでは、多くの使用サイクルで、ハンドルアセンブリおよびツールアセンブリにおける伝動装置および／またはモーターが、「使用に耐え（ｗｅａｒ  ｉｎ）」ると、トルクに対する増大した効率の電流をもたらし得る。サイクルが続くにつれて、伝動装置および／またはモーターのうちの１つ以上は、それらの性能が低下し始め得、効率の損失を示す。伝動装置の効率が変化する場合、圧力関係への電流、圧力の制御も変化し得る。
【００３３】
認識され得るように、組織がステープル留めされる場合、組織における圧力をモニタリングし、制御することが、有利であることがわかり得る。それに従って、ばね２１は、サイクルの数にかかわらず、一定の変化しない力曲線を表す。特に、ハンドルアセンブリ４は、モーター３１への電流入力をモニタリングし、制御する。従って、カートリッジアセンブリ１６およびアンビルアセンブリ１８をばね２１に対して較正することによって、マイクロコントローラー３０は、ばね２１の割り当てられた値であるばね定数の力に対応する電流の値に設定され得る。従って、ステープラー２が締め付けおよびステープル留め行程を通してサイクルさせられる場合、マイクロコントローラーが、読み取り、モニタリングし、制御する電流は、電流とは対照的に、力に関して制御され得る。
【００３４】
マイクロコントローラー３０は、カートリッジアセンブリ１６と動作可能に通信し得、ばね２１のばね定数を試験するように構成されている。特に、マイクロコントローラー３０は、試験されたばね定数を、１つ以上のデータルックアップ表３６中にコンパイルされ、メモリー３５（想像図で示される）に記憶されている公知のばね定数と比較するように構成され得、このメモリー３５は、マイクロコントローラー３０によってアクセス可能である。公知のばね定数は、ある範囲の異なる弾性部材の測定値を通して取得され得、この弾性部材は、カートリッジアセンブリ１６とともに利用され得る。
【００３５】
実施形態において、マイクロコントローラー３０によって実行可能であるアプリケーションソフトウェアは、所望の力を計算するために利用され得る。そのような実施形態において、ツールアセンブリ１０は、マイクロコントローラー３０と通信する識別チップまたは電気消去可能プログラマブル読出し専用メモリーデバイス（ＥＥＰＲＯＭ）を含み得る。ツールアセンブリ１０における情報は、例えば、ステープルサイズ、ツールアセンブリタイプなどを含み得、アプリケーションソフトウェアが、実際の力に対する電流の運転パラメーターを確立することを可能にするために、ばねタイプ／負荷は、ハンドルアセンブリ４に通信され得る。さらに、または代替的に、別個のばね装填デバイス（明らかには示されない）は、電流関係に対して必要な力を確立するために、ツールアセンブリ１０のアンビルアセンブリ１８とステープルガイドとの間に挿入するために使用され得る。
【００３６】
実施形態において、メモリー３５は、マイクロコントローラー３０のモジュールまたは構成要素であり得る。メモリー３５は、任意の適切なコンピューター読み取り可能媒体であり得、揮発性および／または非揮発性メモリー、ならびにデータ記憶構成要素の両方を含み得る。メモリー３５としては、例えば、ランダムアクセスメモリー（ＲＡＭ）、および／または読出し専用メモリー（ＲＯＭ）が挙げられ得る。ＲＡＭとしては、例えば、スタティックランダムアクセスメモリー（ＳＲＡＭ）、ダイナミックランダムアクセスメモリー（ＤＲＡＭ）、または磁気ランダムアクセスメモリー（ＭＲＡＭ）、および他のそのようなデバイスが挙げられ得る。ＲＯＭとしては、例えば、プログラマブル読出し専用メモリー（ＰＲＯＭ）、消去可能プログラマブル読出し専用メモリー（ＥＰＲＯＭ）、ＥＥＰＲＯＭなどのメモリーデバイスが挙げられ得る。
【００３７】
１つ以上のセンサー３７（または他の適切なデバイス（複数可））は、ばね２１に動作可能に連結され得、ばね２１（図２）のばね定数を測定するように構成されている。センサー（複数可）３７は、力変換器、加速度計、または他の適切なセンサーであり得る。実施形態において、ケーブル３９（ワイヤーなど）は、ツールアセンブリ１０を通って延び得、対応するケーブル４１（図１）に連結するように構成され得る。ケーブル４１は、細長いシャフト８を通って延び、マイクロコントローラー３０との通信のために、マイクロコントローラー３０に連結する。
【００３８】
実施形態において、カートリッジアセンブリ１６は、ばね２１のばね定数を試験するための試験または較正の行程を通して移動するように構成されている。特に、マイクロコントローラー３０は、ばね２１の試験されたばね定数に基づいて、モーター３１に供給される電流の量を制御する。より詳しくは、マイクロコントローラー３０は、ばね定数が所定の閾値よりも上である場合、より多くの電流をモーター３１に提供し、ばね定数が所定の閾値よりも下である場合、より少ない電流をモーターへ３１に提供する。
【００３９】
使用において、ツールアセンブリ１０は、細長いシャフト８に連結され得る。その後、ばね２１のばね定数を試験するための試験行程が実施され得る。試験行程中、アンビル１８は、ばね２１の付勢に対抗して、カートリッジアセンブリ１６に向かって、所定の距離を接近させられる。その後、マイクロコントローラー３０は、ばね２１のばね定数を決定するために、１つ以上の適切な制御アルゴリズムを利用し得る。
【００４０】
その後、マイクロコントローラー３０は、メモリー３３におけるデータルックアップ表３６にアクセスし、決定されたばね定数をデータルックアップ表３６の公知のばね定数と比較する。マイクロコントローラー３０は、ばね定数が所定の閾値よりも上である場合、より多くの電流をモーター３１に提供し、ばね定数が所定の閾値よりも下である場合、より少ない電流をモーター３１に提供する。
【００４１】
認識され得るように、カートリッジアセンブリ１６に連結されているばね２１のばね定数を決定するために、マイクロコントローラー３０およびセンサー３７を利用することは、従来の円形状吻合ステープラーに関連付けられ得る前述の欠点を克服する。特に、マイクロコントローラー３０は、試験または較正の行程を通して、ハンドルアセンブリ４および／またはそれと関連付けられる動作可能な構成要素の低下を検出し得る。認識され得るように、このことは、ステープラー２および／またはツールアセンブリ１０の動作可能な貯蔵寿命を延ばし得る。
【００４２】
その後、組織は、カートリッジアセンブリ１６の組織接触表面２２とアンビルアセンブリ１８との間に位置決めされ、次に、アンビルアセンブリ１８は、カートリッジアセンブリ１６の組織接触表面２２に向かって接近させられ得る。アクチュエーター６は、次に、組織をステープル留めするために作動させられ得る。
【００４３】
現在のステープル留めは、経験のある外科医に基づいてなされ、外科医は、設定されたステープルの高さを有するカートリッジを選ぶ。組織の厚さ対カートリッジ選択の不正確な判断により、出血および／または離開、ならびに漏れをもたらす不十分に圧縮された組織、または漿膜／粘膜を損傷し得、虚血組織という結果になりさえする可能性のある過度に圧縮された組織のいずれかがもたらされ得る。
【００４４】
しかし、本開示に従って、特定の締め付け力を維持するためにステープルが発射される前に組織を適所に保持しているカートリッジアセンブリ１６およびアンビルアセンブリ１８の締め付け力を増大／減少させるために、所定の締め付け力が確立される。認識され得るように、外科医に締め付け情報および提案される範囲を提供することができることは、外科医がその情報を使用すること、および必要があれば、組織をステープル留めする前に、カートリッジアセンブリ１６とアンビルアセンブリ１８との間の圧縮を微調整することを可能にする。
【００４５】
前述のものから、および様々な図面を参照して、当業者は、本開示に対してそれらの範囲から外れることなく、特定の改変がまた、なされ得ることを認識する。例えば、円形状ステープラー２との使用のために構成されているマイクロコントローラー３０、ばね２１、センサー３７が本明細書中に記載されているが、マイクロコントローラー３０、ばね２１、およびセンサー３７は、他のタイプのステープラー（例えば、線形ステープル留めデバイスなど）との使用のために構成され得る。
【００４６】
本開示のいつくかの実施形態が図面に示されてきたが、本開示は当該分野が許容するのと同じほど範囲が広いこと、および本明細書は同様に読まれることが意図されるので、本開示はそれらの実施形態に限定されることが意図されない。従って、上の記載は、限定するものではなく、単に特定の実施形態の例証と解釈されるべきである。当業者は、ここに添付される特許請求の範囲の趣旨および範囲内の他の改変を想定する。
【図１】
2014176698.tif 000003
【図２】
2014176698.tif 000004
【図３】
2014176698.tif 000005
【外国語明細書】
2014176698000001.pdf